(57)【要約】      （修正有）【課題】回動軸を中心に回転する部材に追従して蛇腹が扇状に９０度以上伸張される場合であっても、不規則な位置で折曲されてしまうことを防止する新規な蛇腹等を提供する。【解決手段】一方及び他方の軸垂直部と、軸平行部と、を有し平面形状がコ字状とされてなる蛇腹９，１０に固定されるものであって、一方の軸垂直部又は他方の軸垂直部の内側面又は外側面に対向してなり扇状に成形された扇状板部１５ａと、一方の軸垂直部又は他方の軸垂直部の上面に固定される固定用起立板部１５ｂと、一方の軸垂直部と他方の軸垂直部とが扇状に伸張した際に一方の軸垂直部又は他方の軸垂直部の先端が当接し一方の軸垂直部又は他方の軸垂直部を支持する支持用起立板部１５ｃと、を備えてなる保護プレート１５と、保護プレートを構成する扇状板部に対して扇状板部を延長する方向及びその逆方向にスライド可能に取り付けられてなる延長プレート１６と、備えてなる。【選択図】図７
2013158898.tif 000002
【特許請求の範囲】
【請求項１】
シート体が折曲されることにより山部と谷部とが交互に形成されてなり、回動軸を中心に左右の側面が扇状に伸張されるとともに該回動軸の長さ方向に対して直交する方向にそれぞれ長さを有する一方及び他方の軸垂直部と、これら一方の軸垂直部と他方の軸垂直部の基端側で連続してなるとともに該一方及び他方の軸垂直部が扇状に伸張された際には該回動軸を中心に円弧状に伸張する軸平行部と、を有し最も縮小された際には平面形状がコ字状とされてなる蛇腹に固定されるものであって、
上記一方の軸垂直部又は他方の軸垂直部の内側面又は外側面に対向してなり扇状に成形された扇状板部と、上記扇状板部の一端から起立してなり、上記一方の軸垂直部又は他方の軸垂直部の上面に固定される固定用起立板部と、上記扇状板部から起立してなり、上記一方の軸垂直部と他方の軸垂直部とが扇状に伸張した際に該一方の軸垂直部又は他方の軸垂直部の先端が当接し該一方の軸垂直部又は他方の軸垂直部を支持する支持用起立板部と、を備えてなる保護プレートと、
上記保護プレートを構成する扇状板部に対して該扇状板部を延長する方向及びその逆方向にスライド可能に取り付けられてなる延長プレートと、を備えてなることを特徴とする保護プレート。
【請求項２】
シート体が折曲されることにより山部と谷部とが交互に形成されてなり、回動軸を中心に左右の側面が扇状に伸張されるとともに該回動軸の長さ方向に対して直交する方向にそれぞれ長さを有する一方及び他方の軸垂直部と、これら一方の軸垂直部と他方の軸垂直部の基端側で連続してなるとともに該一方及び他方の軸垂直部が扇状に伸張された際には該回動軸を中心に円弧状に伸張する軸平行部と、を有し最も縮小された際には平面形状がコ字状とされてなる蛇腹と、
上記一方の軸垂直部又は他方の軸垂直部の内側面又は外側面に対向してなり扇状に成形された扇状板部と、上記扇状板部の一端から起立してなり、上記一方の軸垂直部又は他方の軸垂直部の上面に固定される固定用起立板部と、上記扇状板部から起立してなり、上記一方の軸垂直部と他方の軸垂直部とが扇状に伸張した際に該一方の軸垂直部又は他方の軸垂直部の先端が当接し該一方の軸垂直部又は他方の軸垂直部を支持する支持用起立板部と、を備えてなる保護プレートと、
上記保護プレートを構成する扇状板部に対して該扇状板部を延長する方向及びその逆方向にスライド可能に取り付けられてなる延長プレートと、を備えてなることを特徴とする蛇腹。
【請求項３】
端部が回動軸に連結されてなり枠状又は板状に成形された回動部材と、
この回動部材が水平とされた際に該回動部材と平行となる固定部材と、
一面は上記回動部材に固定され他面は上記固定部材に固定されてなるとともにシート体が折曲されることにより山部と谷部とが交互に形成され、上記回動軸を中心に左右の側面が扇状に伸張されるとともに該回動軸の長さ方向に対して直交する方向にそれぞれ長さを有する一方及び他方の軸垂直部と、これら一方の軸垂直部と他方の軸垂直部の基端側で連続してなるとともに該一方及び他方の軸垂直部が扇状に伸張された際には該回動軸を中心に円弧状に伸張する軸平行部と、を有し最も縮小された際には平面形状がコ字状とされてなる蛇腹と、
上記回動部材を０度から１８０度未満の範囲で駆動させ上記蛇腹を伸縮させる駆動装置と、
上記一方の軸垂直部又は他方の軸垂直部の内側面又は外側面に対向してなり扇状に成形された扇状板部と、上記扇状板部の一端から起立してなり、上記一方の軸垂直部又は他方の軸垂直部の上面に固定される固定用起立板部と、上記扇状板部から起立してなり、上記一方の軸垂直部と他方の軸垂直部とが扇状に伸張した際に該一方の軸垂直部又は他方の軸垂直部の先端が当接し該一方の軸垂直部又は他方の軸垂直部を支持する支持用起立板部と、を備えてなる保護プレートと、
上記保護プレートを構成する扇状板部に対して該扇状板部を延長する方向及びその逆方向にスライド可能に取り付けられてなる延長プレートと、
上記回動軸の近傍に形成され、上記蛇腹が最も縮小する以前に上記延長プレートの先端が当接する当接部材と、を備えてなることを特徴とする機械器具。
【発明の詳細な説明】
【技術分野】
【０００１】
本発明は、蛇腹の伸縮動作を補助し山部と谷部とが形成された位置で伸縮するように蛇腹に固定される蛇腹用保護プレート及びこの蛇腹用保護プレートが固定された蛇腹に関するものである。
【背景技術】
【０００２】
蛇腹には、シート体が折曲されることにより山部と谷部とが交互に形成されたタイプのものがあり、こうした蛇腹は、これらの山部と谷部との角度が変化することにより全長が伸張され又は縮小される性質を備えている。そして、こうした蛇腹を機械器具に固定することにより、該蛇腹が固定された部位の内部に塵埃等が侵入することが防止され、又は作業者の安全が確保されるなど、様々な用途で使用されている。例えば、金型その他の高重量物（ワーク）を反転させる際に使用される反転装置５０は、後述するように、上記蛇腹を構成要素とするものであり、図１２又は図１３に示すように、左右に配置された２枚（一方及び他方）の反転板５１，５２と、これら２枚の反転板５１，５２の回動中心となる各回動軸５３，５４と、上記２枚の反転板５１，５２を１８０度未満の回転角度の間で回動させる図示しない駆動手段と、を備えている。上記各回動軸５３，５４は、上記一方及び他方の反転板５１，５２のそれぞれ基端側に形成された仕切り部材５５に形成されており、また、この仕切り部材５５の下方には、上記一方及び他方の反転板５１，５２が水平とされた際に該一方及び他方の反転板５１，５２と平行とされた基盤５６が配置されている。なお、上記図示しない駆動装置は、上記基盤５６の上面に配置されている。
【０００３】
そして、上記基盤５６と上記一方の反転板５１との間には、一方の蛇腹５８が配置されている。また、上記基盤５６と上記一方の反転板５２との間には、他方の蛇腹５９が配置されている。これら一方及び他方の蛇腹５８，５９は、図１３に示すように、それぞれ同一の形状に成形されてなるものであり、シート体を折曲することにより山部５８ａ，５９ａと谷部５８ｂ，５９ｂとが交互に形成されてなるものであって、上記回動軸５３，５４の一端の近傍に先端が配置され基端側は該回動軸５３，５４から離間した位置にあり該回動軸５３，５４の長さ方向とは垂直となる図示しない一方の軸垂直部と、上記回動軸５３，５４の他端の近傍に先端が配置され基端側は該回動軸５３，５４から離間した位置にあり回動軸５３，５４の長さ方向とは垂直となるとともに上記一方の軸垂直部とは平行となされた図示しない他方の軸垂直部と、上記回動軸５３，５４の長さとほぼ同じ長さとされ該回動軸５３，５４に平行に位置してなり上記一端が一方の軸垂直部の基端に連続し他端は上記他方の軸垂直部の基端に連続してなり該一方及び他方の軸垂直部が扇状に伸張された際には該回動軸５３，５４を中心に円弧状に伸張する軸平行部から構成されており、最も縮小された場合には上記一方の軸垂直部と他方の軸垂直部と上記軸平行部とによりコ字状とされてなる、所謂門型蛇腹と称される蛇腹である。
【０００４】
そして、こうした一方及び他方の蛇腹５８，５９の内側には、それぞれ保護プレート６１，６２（図１３参照）が固定されている。この保護プレート６１，６２は、上記一方及び他方の蛇腹５８，５９を構成する一方及び他方の軸垂直部の内側に固定されてなるものである。これらの保護プレート６１，６２は、図１４に示すように、金属板により扇状に成形された扇状板部６１ａ，６２ａと、この扇状板部６１ａ，６２ａの短い円弧状の端部から起立してなり上記一方又は他方の反転板５１，５２が回転して起立してゆく際に上記一方又は他方の蛇腹５８，５９を構成する一方又は他方の軸垂直部の先端に当接し該一方又は他方の蛇腹５８，５９を支持する支持板部６１ｂ，６２ｂとから構成されている。なお、上記仕切り部材５５の両側面には、上記一方の反転板５１や他方の反転板５２が水平状態にされた際に、上記保護プレート６１，６２の端部側が挿入される挿入空間（符号は省略する。）が形成されている。
【０００５】
したがって、図１２に示すように、上記反転装置５０では、それぞれ水平状態とされた一方の反転板５１と他方の反転板５２との何れか（例えば、一方の反転板５１上）にワークを載置し、上記駆動手段を介して、例えば、上記一方の反転板５１を９０度未満まで回転させ、他方の反転板５２を９０度以上回転させ上記一方の反転板５１と他方の反転板５２とにより、上記ワークを挟む。そして、このようにワークを挟んだ一方の反転板５１と他方の反転板５２とを同時に該他方の反転板５２が水平となるまで反転させる。この結果、上記一方の反転板５１は、１８０度回転したこととなる。そしてその後、上記一方の反転板５１を回転させ、元の状態に復帰させる。こうした動作により、上記ワークは反転させられる。
【０００６】
また、上記反転装置５０以外にも、上記蛇腹は構成要素とされている。図１５は、溶融金属排出装置７０を示すものであり、溶融金属が内部に充填された容器（坩堝）７１を回転移動させることにより、内部に充填された溶融金属を図示しない鋳型等に充填するものであって、こうした溶融金属排出装置７０にも蛇腹７２が構成要素とされている。すなわち、この溶融金属排出装置７０は、回動軸７３を中心に回転する蓋体７４と、この蓋体７４に上端が固定され上部には図示しない開口が形成されてなるとともに上述した溶融金属が内部に充填されてなる容器７１と、上記蓋体７４が水平状態とされた際に該蓋体７４と平行とされ内側には上記容器７１が挿通される図示しない空間が形成された枠体７５とを備えている。そして、上記回動軸７３は、上記軸支持部材７６に支持されており、上記枠体７５の一端側上にこの軸支持部材７６が固定されている。なお、上記枠体７５は、例えば図示しない加熱装置の上部に固定されてなるものであり、上記蓋体７４が水平とされ容器７１の図示しない開口が上を向いた状態（図１６に示す状態）において、図示しない加熱手段により容器が加熱されるように構成されている。
【０００７】
そして、上記蓋体７４と枠体７５との双方には上記蛇腹７２が固定されており、この蛇腹７２の内側には、上述した保護プレート７７が固定されている。上記蛇腹７２は、先に説明した反転装置５０を構成する蛇腹５８，５９と同様の構成からなるものであり、上記保護プレート７７も同様の構成からなる。したがって、図１６に示す状態から、図示しない駆動手段の駆動力によって上記蓋体７４が容器とともに回転すると、図１５に示すように、上記容器７１は徐々に傾斜し、さらに上記蓋体７４が水平な状態から９０度以上回転すると、図１７に示すように、上記容器７１はさらに傾斜して内部に充填された溶融金属が外部に放出（図示しない鋳型内に放出）される。
【０００８】
すなわち、上述した反転装置５０や溶融金属排出装置７０のような機械器具に固定され扇状に伸張されるタイプの蛇腹５８，５９，７２では、図１３や図１７に示すように、扇状に伸張されると、それぞれ上記回動軸５３，５４，７３の長さ方向に対して垂直に位置する一方の軸垂直部や他方の軸垂直部がその自重により下方に垂れ下がり、これによって蛇腹５８，５９，７２全体が歪な形に変形するばかりか、上述した山部や谷部以外の部位で折れ曲がってしまう場合が多いところ、こうした事態を防止するために上記保護プレート６１，６２，７７を固定している。
【発明の概要】
【発明が解決しようとする課題】
【０００９】
しかしながら、上述した従来の保護プレート６１，６２，７７では、蛇腹５８，５９，７２が９０度以上回転する機能を備えた機械器具に関して、その回転角度の全てに亘って蛇腹５８，５９，７２の変形を防止するために角度を大きくすると、該保護プレート６１，６２，７７が取付不能となる。例えば、上記反転装置５０を構成する一方の反転板５１も他方の反転板５２も、金型のようなワークを反転させる場合には、水平な状態から必ず９０度以上に回転させなければならず、また、上記溶融金属排出装置７０であっても、上記蓋体７４は水平な状態から９０度以上回転させなければ容器７１内に充填した溶融金属を外部に排出することはできないことから、保護プレート６１，６２，７７を９０度以上の角度全体に亘って各蛇腹５８，５９，７２をカバーしようとすると、反転板５１，５２或いは蓋体７４が水平な状態にあるとき、上記保護プレート６１，６２は、互いに干渉することとなったり、保護プレート７７が軸支持部材７６から外部に突出したりする結果となる。
【００１０】
そこで、本発明は、上述した従来の保護プレートや該保護プレートが固定された蛇腹が有する課題を解決するために提案されたものであって、回動軸を中心に回転する部材に追従して蛇腹が扇状に９０度以上伸張される場合であっても、該蛇腹の回動中心側を有効にカバーし不規則な位置で折曲されてしまうことを有効に防止することができる新規な保護プレート及びこの保護プレートが固定された蛇腹等を提供することを目的とするものである。
【課題を解決するための手段】
【００１１】
本発明は、上記課題を解決するために提案されたものであって、第１の発明（請求項１記載の発明）は、保護プレートに係るものであって、シート体が折曲されることにより山部と谷部とが交互に形成されてなり、回動軸を中心に左右の側面が扇状に伸張されるとともに該回動軸の長さ方向に対して直交する方向にそれぞれ長さを有する一方及び他方の軸垂直部と、これら一方の軸垂直部と他方の軸垂直部の基端側で連続してなるとともに該一方及び他方の軸垂直部が扇状に伸張された際には該回動軸を中心に円弧状に伸張する軸平行部と、を有し最も縮小された際には平面形状がコ字状とされてなる蛇腹に固定されるものであって、上記一方の軸垂直部又は他方の軸垂直部の内側面又は外側面に対向してなり扇状に成形された扇状板部と、上記扇状板部の一端から起立してなり、上記一方の軸垂直部又は他方の軸垂直部の上面に固定される固定用起立板部と、上記扇状板部から起立してなり、上記一方の軸垂直部と他方の軸垂直部とが扇状に伸張した際に該一方の軸垂直部又は他方の軸垂直部の先端が当接し該一方の軸垂直部又は他方の軸垂直部を支持する支持用起立板部と、を備えてなる保護プレートと、上記保護プレートを構成する扇状板部に対して該扇状板部を延長する方向及びその逆方向にスライド可能に取り付けられてなる延長プレートと、を備えてなることを特徴とするものである。
【００１２】
また、第２の発明（請求項２記載の発明）は、上記第１の発明に係る保護プレートが固定された蛇腹に係るものであって、シート体が折曲されることにより山部と谷部とが交互に形成されてなり、回動軸を中心に左右の側面が扇状に伸張されるとともに該回動軸の長さ方向に対して直交する方向にそれぞれ長さを有する一方及び他方の軸垂直部と、これら一方の軸垂直部と他方の軸垂直部の基端側で連続してなるとともに該一方及び他方の軸垂直部が扇状に伸張された際には該回動軸を中心に円弧状に伸張する軸平行部と、を有し最も縮小された際には平面形状がコ字状とされてなる蛇腹と、上記一方の軸垂直部又は他方の軸垂直部の内側面又は外側面に対向してなり扇状に成形された扇状板部と、上記扇状板部の一端から起立してなり、上記一方の軸垂直部又は他方の軸垂直部の上面に固定される固定用起立板部と、上記扇状板部から起立してなり、上記一方の軸垂直部と他方の軸垂直部とが扇状に伸張した際に該一方の軸垂直部又は他方の軸垂直部の先端が当接し該一方の軸垂直部又は他方の軸垂直部を支持する支持用起立板部と、を備えてなる保護プレートと、上記保護プレートを構成する扇状板部に対して該扇状板部を延長する方向及びその逆方向にスライド可能に取り付けられてなる延長プレートと、を備えてなることを特徴とするものである。
【００１３】
上記第１の発明に係る保護プレートや、上記第２の発明に係る蛇腹では、蛇腹（を構成する一方及び他方の軸垂直部）が扇状に９０度以上伸張された場合でも、該延長プレートがスライドすることにより、伸張された該一方及び他方の軸垂直部をカバーすることができ、山部や谷部が形成されていない不規則な位置で伸縮することを防止することができる。また、上記扇状板部を延長する方向にスライドした延長プレートは、その延長方向とは逆方向にスライドすることにより、外部に突出したり他の部材に衝突したりすることがない。
【００１４】
また、第３の発明（請求項３記載の発明）は、上記第２の発明に係る蛇腹が取り付けられた機械器具に係るものであって、端部が回動軸に連結されてなり枠状又は板状に成形された回動部材と、この回動部材が水平とされた際に該回動部材と平行となる固定部材と、一面は上記回動部材に固定され他面は上記固定部材に固定されてなるとともにシート体が折曲されることにより山部と谷部とが交互に形成され、上記回動軸を中心に左右の側面が扇状に伸張されるとともに該回動軸の長さ方向に対して直交する方向にそれぞれ長さを有する一方及び他方の軸垂直部と、これら一方の軸垂直部と他方の軸垂直部の基端側で連続してなるとともに該一方及び他方の軸垂直部が扇状に伸張された際には該回動軸を中心に円弧状に伸張する軸平行部と、を有し最も縮小された際には平面形状がコ字状とされてなる蛇腹と、上記回動部材を０度から１８０度未満の範囲で駆動させ上記蛇腹を伸縮させる駆動装置と、上記一方の軸垂直部又は他方の軸垂直部の内側面又は外側面に対向してなり扇状に成形された扇状板部と、上記扇状板部の一端から起立してなり、上記一方の軸垂直部又は他方の軸垂直部の上面に固定される固定用起立板部と、上記扇状板部から起立してなり、上記一方の軸垂直部と他方の軸垂直部とが扇状に伸張した際に該一方の軸垂直部又は他方の軸垂直部の先端が当接し該一方の軸垂直部又は他方の軸垂直部を支持する支持用起立板部と、を備えてなる保護プレートと、上記保護プレートを構成する扇状板部に対して該扇状板部を延長する方向及びその逆方向にスライド可能に取り付けられてなる延長プレートと、上記回動軸の近傍に形成され、上記蛇腹が最も縮小する以前に上記延長プレートの先端が当接する当接部材と、を備えてなることを特徴とするものである。
【００１５】
上記第３の発明に係る機械器具では、例えば、上記回動部材と固定部材とが平行とされている状態において、該回動部材が、上記駆動装置の駆動によって上記回動軸を中心に回転し始めると、上記蛇腹も伸張されるとともに保護プレートも上記当接部材とは離間する。すると、それまで当接部材に先端が当接することにより、扇状板部を延長する方向とは逆方向に位置していた延長プレート（保護プレートの扇状板部との重なり代が最も多い状態であった延長プレート）は、該延長プレートの自重により、徐々に該扇状板部を延長する方向にスライドする。すなわち、保護プレートの扇状板部と延長プレートとの重なり代が、該延長プレートがスライドすることによって徐々に少なくなる。そしてさらに上記回動部材が回転し（回転角を広げ）、蛇腹が伸張されて、保護プレートの扇状板部と延長プレートとの重なり代が最も少なくなると、それ以上延長プレートがスライドすることはない。そして、この状態から今度は、上記駆動装置の駆動により、上記回動部材がそれまでとは逆方向に回転し蛇腹が縮小してゆくと、やがて延長プレートの先端が上記当接部材に当接し、保護プレートの扇状板部と延長プレートとの重なり代が多くなるように該延長プレートがスライドする。
【００１６】
なお、以上の発明（請求項１ないし３記載の発明）を構成する延長プレートは、保護プレートに対して、該保護プレートの扇状板部を延長する方向及びその逆方向にスライド可能に取り付けられていれば良く、その具体的方法は特に限定されるものではない。
【発明の効果】
【００１７】
上記発明によれば、上記保護プレートが蛇腹に固定され、またその蛇腹が機械器具に固定されることにより、回動軸を中心に回転する部材に追従して蛇腹が扇状に９０度以上伸張される場合であっても、該蛇腹の回動中心側を有効にカバーし不規則な位置で折曲されてしまうことを有効に防止することができる。
【図面の簡単な説明】
【００１８】
【図１】第１の実施の形態である反転装置を示す正面図である。
【図２】図１に示す反転装置を構成する一方及び他方の反転板が水平とされた状態を示す正面図である。
【図３】図２に示す状態から一方の蛇腹が伸張した状態を示す正面図である。
【図４】取付板を示す正面図である。
【図５】保護プレートと延長プレートとを分解して示す分解斜視図である。
【図６】保護プレートに延長プレートが装着された状態を示す正面図である。
【図７】保護プレートの移動による延長プレートの動作の変化を示す正面図である。
【図８】第２の実施の形態である溶融金属排出装置を示す左側面図である。
【図９】図８に示す溶融金属排出装置を構成する蛇腹が最も縮小した状態を示す左側面図である。
【図１０】図９に示す状態から蓋体が９０度以上回動した状態を示す左側面図である。
【図１１】図９に示す状態における保護プレートと延長プレートとが装着された蛇腹を示す左側面図である。
【図１２】従来の反転装置を示す正面図である。
【図１３】図１２に示す状態から一方及び他方の蛇腹が伸張した状態を示す正面図である。
【図１４】従来の保護プレートを示す平面図である。
【図１５】従来の溶融金属排出装置を示す左側面図である。
【図１６】図１５に示す状態から蛇腹が最も縮小した状態を示す左側面図である。
【図１７】図１５に示す状態から蓋体が９０度以上回動した状態を示す左側面図である。
【発明を実施するための形態】
【００１９】
以下、本発明を実施するための最良の形態を、図面を参照しながら詳細に説明する。この（第１の）実施の形態は、本発明を反転装置に適用したものである。
【００２０】
この実施の形態に係る反転装置１は、図１に示すように、板状に成形された基盤２と、この基盤２を左右に二分する中央に固定された仕切り部材３と、この仕切り部材３の正面側及び（図示しない）背面側に固定された一方及び他方の回動軸４，５と、上記一方の回動軸４を回動中心として回動する一方の反転板６と、上記他方の回動軸５を回動中心として回動する他方の反転板７とを備えている。
【００２１】
上記基盤２は、図示しない開口が形成され、この開口内には上記一方の回転板６や他方の回転板７を回動させるためのエアー（又は油圧）シリンダー或いは駆動モータ等の駆動手段が配置されている。また、上記仕切り部材３は、上記基盤２の上面から上方に突出してなるものであり、前後の奥行は、上記基盤２の前後の幅よりもやや短いものとされている。そして、上記仕切り部材３の正面（及び背面）には、左側に一方の回動軸４が配置され、この一方の回動軸４の隣には、上記他方の回動軸５が配置されている。なお、上記一方の回動軸４と他方の回動軸５とは、互いに平行に配置されてなるものであり、上記仕切り部材３の正面側と図示しない背面側との両方にそれぞれ別個に配置されたものであっても、或いは、互いに平行に配置された一方及び他方の回動軸４，５の前端が仕切り部材３の正面に、後ろ端が該仕切り部材３の背面にそれぞれ突出してなるものであっても良い。
【００２２】
また、上記一方の回転板６と他方の回転板７は、それぞれ板状に成形されてなるものであるとともに、この反転装置１の正面側及び図示しない背面側には、それぞれ脚部６ａ，７ａが形成され、これらの脚部６ａ，７ａの先端側中途部に、上記一方の回動軸４又は他方の回動軸５が固定又は連結されている。なお、これら一方及び他方の回転板６，７は、それぞれ本発明を構成する回動部材である。
【００２３】
そして、上記一方の回転板６と基盤２との間には、一方の蛇腹９が固定されており、また、上記他方の回転板７と基盤２との間には、他方の蛇腹１０が固定されている。上記一方の蛇腹９及び他方の蛇腹１０は、それぞれ同一の形状に成形されてなるものであり、図１又は図３に示すように、シート体に山部９ａ，１０ａと谷部９ｂ，１０ｂとが交互に形成されてなるものである。そして、上記一方の蛇腹９は、上記一方の回動軸４の正面側端部の近傍にその先端が位置してなるとともに該一方の回動軸４の長さ方向とは直交する方向に長さを有する一方の軸垂直部と、この図１に示す反転装置１の背面側に位置し、上記一方の軸垂直部と平行となされ、上記一方の回動軸４の背面側端部の近傍にその先端が位置してなる他方の軸垂直部と、これら一方及び他方の軸垂直部の基端側と連続してなるとともに、該一方及び他方の軸垂直部が扇状に伸張された際には該回動軸を中心に円弧状に伸張する軸平行部と、を有し最も縮小された際には平面形状がコ字状とされてなるものである。また、上記他方の蛇腹１０は、上記他方の回動軸５の正面側端部の近傍にその先端が位置してなるとともに該他方の回動軸５の長さ方向とは直交する方向に長さを有する一方の軸垂直部と、この図１に示す反転装置１の背面側に位置し、上記一方の軸垂直部と平行となされ、上記他方の回動軸５の背面側端部の近傍にその先端が位置してなる他方の軸垂直部と、これら一方及び他方の軸垂直部の基端側と連続してなるとともに、該一方及び他方の軸垂直部が扇状に伸張された際には該回動軸を中心に円弧状に伸張する軸平行部と、を有し最も縮小された際には平面形状がコ字状とされてなるものである。
【００２４】
また、上記仕切り部材３の正面には、図１ないし図３にそれぞれ示すように、当接部材１１が固定されている。また、上記仕切り部材３の背面にも、図示しない当接部材が固定されている。上記当接部材１１は、左側に左当接面１１ａが形成され、右側には右当接面１１ｂが形成されている。上記左当接面１１ａ及び右当接面１１ｂは、それぞれ後述する延長プレート１６の先端が当接する部位である。
【００２５】
そして、上記一方の蛇腹９と一方の回転板６とは、間に図４に示す取付板１２を介して図示しないネジ又はリベット等の固定具による固定されており、同じように、上記他方の蛇腹１０と他方の回転板７とは、間に上記取付板１２と同一の図示しない取付板を介して固定されている。この取付板１２は、上記一方及び他方の蛇腹９，１０を構成する上記一方の軸垂直部の上面に固定される第１の固定板部１２ａと、上記他方の軸垂直部の上面に固定される第２の固定板部１２ｂと、上記軸水平部に固定される第３の固定板部１２ｃとから構成されている。なお、上記第１の固定板部１２ａには、上記図示しないネジ又はリベット等の固定具の軸部が挿通される開口１２ｄが穿設され、同様に、第２の固定板部１２ｂには、上記図示しないネジ又はリベット等の固定具の軸部が挿通される開口１２ｅが穿設されている。
【００２６】
そして、この実施の形態に係る反転装置１では、上記一方の蛇腹９を構成する一方の軸垂直部の先端側の内側と、他方の軸垂直部の先端側の内側、また、上記他方の蛇腹１０を構成する一方の軸垂直部の先端側の内側と、他方の軸垂直部の先端側の内側には、それぞれ本発明を構成する保護プレート１５が固定されている。この保護プレート１５は、鉄又は樹脂を素材とするものであり、扇状に成形された扇状板部１５ａと、この扇状板部１５ａの端部から起立してなる固定用起立板部１５ｂと、上記扇状板部１５ａの内周端から起立してなる支持用起立板部１５ｃとを備えている。上記扇状板部１５ａは、この保護プレート１５が、上記一方の蛇腹９や他方の蛇腹１０に固定された際、該一方の蛇腹９や他方の蛇腹１０を構成する上記それぞれの軸垂直部の先端側の内側面に対向する部位であり、この実施の形態では、図６に示すように、該軸垂直部が扇状に伸張された際に約９０度の範囲に亘って該軸垂直部の内側をカバーする部位である。
【００２７】
また、上記固定用起立板部１５ｂは、図５に示すように、上記取付板１２を構成する一方の固定板部１２ａ（や他方の固定板部１２ｂ）に上記固定具を利用して固定される部位であり、上記開口１２ｄの開設位置に対応した位置にそれぞれ開口１５ｄが穿設されている。なお、上記一方の蛇腹９（や他方の蛇腹１０）を構成する上記一方の軸垂直部（や他方の軸垂直部）の上面には、上記一方の固定板部１２ａ（や他方の固定板部１２ｂ）とは上記固定用起立板部１５ｂを挟んで対向する位置に図示しない固定片が形成され、この固定片にも、上記図示しないネジ又はリベット等の固定具の軸部が挿通される開口が形成されている。したがって、この保護プレート１５を構成する上記固定用起立板部１５ｂは、該保護プレート１５が一方又は他方の蛇腹９，１０に固定された際には、上記一方の軸垂直部（や他方の軸垂直部）に形成された固定片と一方の固定板部１２ａ（や他方の固定板部１２ｂ）とに挟まれた状態とされる。
【００２８】
また、上記支持用起立板部１５ｃは、後述するように、上記一方の蛇腹９（や他方の蛇腹１０）が上記一方の回動軸４や他方の回動軸５を中心に伸張された際に、該蛇腹９，１０を構成する一方（及び他方）の軸垂直部を下方から支持する部位である。
【００２９】
そして、この保護プレート１５を構成する上記扇状板部１５ａには、図５又は図６に示すように、本発明を構成する延長プレート１６が装着されている。すなわち、上記扇状板部１５ａであって、上記固定用起立板部１５ｂが形成されている方向とは反対方向側に、二つの（第１及び第２の）円弧状ガイド溝１５ｅ，１５ｆが形成されている。上記第１の円弧状ガイド溝１５ｅは、上記支持用起立板部１５ｃ側（扇状に成形された扇状板部１５ａの内側寄り）に形成され、上記第２の円弧状ガイド溝１５ｆは、該扇状板部１５ａの外側寄りに形成されている。そして、この保護プレート１５の後ろ側（他方の軸垂直部に固定された保護プレート１５では、該保護プレート１２の正面側）、すなわちそれぞれの軸垂直部が位置する側とは反対側に配置されてなるものであり、図６において破線で示すように、上記扇状板部１５ａの内側から外側までの長さと略同じ幅を備え、この幅と直交する方向であるその長さは、該幅よりも若干短いものとされている。
【００３０】
そして、上記延長プレート１６には、図５に示すように、該延長プレート１６を保護プレート１５に取り付けるために用いられる二つの（第１及び第２の）ネジ１７，１８が挿通される第１及び第２の開口１６ａ，１６ｂが穿設されている。すなわち、上記延長プレート１６は、上記保護プレート１５に対して、上記第１の円弧状ガイド溝１５ｅと第１の開口１６ａの双方に挿通される第１のネジ１７と、この第１のネジ１７（の軸部）に螺着される第１のナット１９と、上記第２の円弧状ガイド溝１５ｆと第２の開口１６ｂの双方に挿通される第２のネジ１８と、この第２のネジ１８（の軸部）に螺着される第２のナット２０とにより、後述するように、保護プレート１５が所定角度回転した場合に該保護プレート１６が自重により上記第１及び第２の円弧状ガイド溝１５ｅ，１５ｆにガイドされながら図５中下方にスライド自在に装着されている。なお、上記保護プレート１６の装着には、上記第１又は第２のネジ１７，１８に挿通される座金２２・・・２５が使用され、スライドする際の抵抗を低減している。
【００３１】
以下、上述した反転装置１の動作について説明する。先ず、図２を参照しながら、この図２に示された状態を初期位置として、順次その動作を説明する。この図２は、上記一方及び他方の回転板６，７が水平とされた状態、すなわち上記これら一方及び他方の回転板６，７が上記基盤２と平行とされた状態を示したものである。この状態においては、それぞれの延長プレート１６は、上記当接部材１１に形成された左当接面１１ａや右当接面１１ｂにより、図７中（Ａ）として拡大して示すように、上記保護プレート１６との重なり代が最も多い状態である。そして、図示しない駆動装置を駆動させることにより、例えば、上記一方の回転板６を一方の回動軸４を中心に図２中時計回り方向に回転させると、上記一方の蛇腹９は扇状に伸張されるとともに、上記保護プレート１５も、図７中（Ｂ）として拡大して示すように、一方の回動軸４を中心に回転する。すると、それまで図７中（Ａ）として示す状態であった上記延長プレート１６は、自重により上記第１及び第２の円弧状ガイド溝１５ｅ，１５ｆにガイドされながら下方にスライドされる。そしてさらに上記一方の回転板６が回転し、例えば図３に示すように、水平とされていた図２に示す状態から９０度以上回転するまでには、上記延長プレート１６は最も下方にスライドされる。換言すれば、延長プレート１６と保護プレート１５との重なり代は最も少ない状態とされる。すなわち、上記保護プレート１５を構成する扇状板部１５ａは、９０度の角度で扇状に成形されていることから、上記一方の回転板６が水平状態から９０度に亘って蛇腹９を構成する一方の軸垂直部の先端側中途部を保護し、該９０度以上に回転した場合には上記延長プレート１６により保護し、予め折曲された山部９ａや谷部９ｂではない部位で折れ曲がり、不規則な状態で伸縮することを防止している。なお、上述した動作は、上記他方の回転板７の動作に伴う他方の蛇腹１０や保護プレート１５並びに延長プレート１６の動作も同様である。また言うまでも無く、上記一方の蛇腹９を構成する他方の軸垂直部の先端側を保護する図示しない保護プレートや延長プレートの動作、並びに上記他方の蛇腹を構成する他方の軸垂直部の先端側を保護する図示しない保護プレートや延長プレートの動作も同様である。
【００３２】
そして、図示しない駆動装置の駆動によって、こうした基本動作を行うこの反転装置１を利用してワークを反転させる場合には、例えば、図２に示す状態において、上記一方の回転板６上に反転すべき図示しない（金型などの）ワークを載置し、次いで、上記他方の回転板７を図２中反時計回り方向に回転させ、該他方の回転板７と一方の回転板６とにより該ワークを挟み、次いで、こうした挟んだ状態を維持しながら、一方の回転板６を時計回り方向に、他方の回転板７を時計回り方向に同時に回転させ、該他方の回転板７が水平な状態となるまで回転させる。その後、上記一方の回転板６を反時計回り方向に回転させ、図２に示す状態に復帰させる。こうした一連の動作により、上記ワークを反転する作業は終了する。
【００３３】
したがって、こうした動作を行う反転装置１では、上記一方の回転板６や他方の回転板７が９０度以上回転し、それによって一方の蛇腹９や他方の蛇腹１０が伸張し、上記一方一方の軸垂直部や他方の軸垂直部が９０度以上に亘って扇状に開いた場合でも、上記延長プレート１６により山部及び谷部において規則的に伸縮動作を繰り返すことができる。
【００３４】
次に、本発明の他の実施の形態（第２の実施の形態）について図面を参照しながら説明する。
【００３５】
この実施の形態は、本発明を溶融金属排出装置３１に適用したものである。この溶融金属排出装置３１は、図８に示すように、溶融金属が内部に充填された容器（坩堝）３６を回転移動させることにより、内部に充填された溶融金属を図示しない鋳型等に充填するものであって、こうした溶融金属排出装置３１にも蛇腹３８が構成要素とされている。すなわち、この溶融金属排出装置３１は、回動軸３４を中心に回転する蓋体３５と、この蓋体３５に上端が固定され上部には図示しない開口が形成されてなるとともに上述した溶融金属が内部に充填されてなる容器３６と、上記蓋体３５が水平状態とされた際に該蓋体３５と平行とされ内側には上記容器３６が挿通される図示しない空間が形成された枠体３２とを備えている。そして、上記回動軸３４は、上記軸支持部材３３に支持されており、上記枠体３２の一端側上にこの軸支持部材３３が固定されている。なお、上記枠体３２は、例えば図示しない加熱装置の上部に固定されてなるものであり、上記蓋体３５が水平とされ容器３６の図示しない開口が上を向いた状態（図９に示す状態）において、図示しない加熱手段により容器が加熱されるように構成されている。
【００３６】
そして、上記蓋体３５と枠体３２との間には上記蛇腹３８が固定されており、この蛇腹３８の内側、すなわち、図８に図示された一方の軸垂直部３８ｃの先端側の内側と、この一方の軸垂直部３８ｃと平行に形成された図示しない他方の軸垂直部の先端側の内側には、それぞれ保護プレート４１と、この保護プレート４１にスライド可能に延長プレート４２が装着されている。これら保護プレート４１と延長プレート４２とは、上記第１の実施の形態で説明したものと同一の形状及び構造を備えてなるものである。すなわち、図１１に示すように、保護プレート４１は、扇状に成形されてなるとともに二つの（第１及び第２の）円弧状ガイド溝４１ｅ，４１ｆが形成された扇状板部４１ａと、この扇状板部４１ａの端部から起立してなる固定用起立板部４１ｂと、上記扇状板部４１ａの内周端から起立してなる支持用起立板部４１ｃとを備えている。また、上記延長プレート４２は、先に説明した構造と同じように、上記保護プレート４１に対して、保護プレート４１が所定角度回転した場合に自重により上記第１及び第２の円弧状ガイド溝４１ｅ，４１ｆにガイドされながら図１１中下方にスライド自在に装着されている。
【００３７】
したがって、この溶融金属排出装置３１においても、図９に示す状態から、図示しない駆動手段の駆動力によって上記蓋体３５が容器３６とともに回転すると、図８に示すように、上記容器３６は徐々に傾斜し、さらに上記蓋体３５が水平な状態から９０度以上回転すると、図１０に示すように、上記容器３６はさらに傾斜して内部に充填された溶融金属が外部に放出（図示しない鋳型内に放出）される。
【００３８】
そして、上記保護プレート４１と延長プレート４２とは、この溶融金属排出装置３１においても、先に説明した第１の実施の形態に係る反転装置１を構成する保護プレート１５と延長プレート１６と同じように、図７中（Ａ）〜（Ｃ）に示す動作がされる。
【００３９】
したがって、上述した機械器具である反転装置１や溶融金属排出装置３１の説明からも明らかなように、上記保護プレート１５，４１に延長プレート１６，４２が装着された蛇腹（符号は省略する。）さらには、こうした蛇腹が装着された該機械器具（反転装置１，溶融金属排出装置３１）によれば、上記蛇腹は規則正しく山部と谷部において伸縮し、不規則な位置や歪んだ位置で伸縮を繰り返す事態を回避することができる。
【符号の説明】
【００４０】
１  反転装置
２  基盤
３  仕切り部材
４  一方の回動軸
５  他方の回動軸
６  一方の回転板
７  他方の回転板
９  一方の蛇腹
１０  他方の蛇腹
１１  当接部材
１１ａ  左当接面
１１ｂ  右当接面
１５  保護プレート
１５ａ  扇状板部
１６  延長プレート
３１  溶融金属排出装置
３２  枠体
３３  軸支持部材
３４  回動軸
３５  蓋体
３８  蛇腹
４１  保護プレート
４２  延長プレート
【図１】
2013158898.tif 000003
【図２】
2013158898.tif 000004
【図３】
2013158898.tif 000005
【図４】
2013158898.tif 000006
【図５】
2013158898.tif 000007
【図６】
2013158898.tif 000008
【図７】
2013158898.tif 000009
【図８】
2013158898.tif 000010
【図９】
2013158898.tif 000011
【図１０】
2013158898.tif 000012
【図１１】
2013158898.tif 000013
【図１２】
2013158898.tif 000014
【図１３】
2013158898.tif 000015
【図１４】
2013158898.tif 000016
【図１５】
2013158898.tif 000017
【図１６】
2013158898.tif 000018
【図１７】
2013158898.tif 000019